(57)【特許請求の範囲】
【請求項１】
アンロード位置とロード位置の間でディスクを電動搬送する電動ローディング機構と、
前記ロード位置においてディスクを回転駆動して記録又は再生を行う記録再生機構と、
電源供給が断たれた状態において、前記ロード位置にあるディスクを前記アンロード位置まで手動排出する手動排出機構と、
該手動排出機構をトリガする手動排出操作レバー機構と、
前記ディスクが回転駆動中は前記手動排出操作レバー機構による前記トリガを阻止するディスク保護機構と
を具備することを特徴とするディスクドライブ装置
であって、 前記手動排出操作レバー機構は、
前記電動ローディング機構及び前記記録再生機構を収容するディスクドライブ装置本体の前面部に、横臥起立可能かつ起立状態において軸周りに回動可能に配設したレバーと、
該レバーに連結された第１ロッドと、
前記起立状態で回動された前記レバーを介する押し込み力を前記第１ロッドを介して伝達され、前記手動排出機構をトリガする第２ロッドとを含む、
ことを特徴とするディスクドライブ装置。
【請求項２】
アンロード位置とロード位置の間でディスクを電動搬送する電動ローディング機構と、前記ロード位置においてディスクを回転駆動して記録又は再生を行う記録再生機構と、電源供給が断たれた状態において、前記ロード位置にあるディスクを前記アンロード位置まで手動排出する手動排出機構と、該手動排出機構をトリガする手動排出操作レバー機構と、前記電動ローディング機構を作動させるイジェクトスイッチとを具備し、
前記手動排出操作レバーの一部は横臥起立可能に配設され、
起立状態においては手動排出操作レバーとなり、
折り畳み状態においては前記イジェクトスイッチを閉成させるイジェクト釦となること
を特徴とするディスクドライブ装置。
【発明の詳細な説明】
【０００１】
【発明の属する技術分野】
本発明は、専用工具を用いずに、ディスクドライブ装置本体に備わった手動排出レバー機構によりディスクの手動排出を可能にしたディスクドライブ装置に関する。
【０００２】
【従来の技術】
光ディスクや磁気ディスクといったディスクを記憶媒体として情報の記録・再生を行う装置は、一般にディスクドライブ装置と呼ばれている。この種のディスクドライブ装置は、記録媒体であるディスクをディスクカートリッジに収納するか或いはトレー上に載置して装置内にローディングする。ディスクドライブ装置は、装置本体内所定位置にローディングされたディスクを所定速度で回転させ、光ピックアップや磁気ヘッドを介して情報の書き込み或いは読み取りを行うようになっている。
【０００３】
ディスクドライブ装置には、挿入されたディスクを装置内部の情報の記録・再生が行われるロード位置に装填するローディング機構と、ロード位置にあるディスクカートリッジ又はトレーを手で引き出せる位置（アンロード位置）まで排出させる排出機構が備わっている。排出機構が電動モータによって作動する場合、故障や停電等によって電動モータが作動しなくなるとディスクが取り出せなくなってしまうため、電動モータによる排出機構の備わったディスクドライブ装置には、ディスクカートリッジやトレーを手動排出する機構を備えたものがある。こうした機構はディスク手動排出機構と呼ばれ、従来から様々な提案がなされてきた。
【０００４】
しかしながら、ディスクへの情報の記録中或いは再生中に操作ミス等によりディスク手動排出機構が動作してしまうと、ディスクドライブ装置自体やディスクの損傷を招き、情報の内容を損なう恐れがある。このため、ディスク手動排出機構とは言え、あまり簡便に操作できる方式は望ましくなく、ディスクドライブ装置本体以外の専用工具を使用してディスク手動排出機構を駆動するものが一般的であった。
【０００５】
図７（Ａ）に示す従来のディスクドライブ装置は、筺体内に電動ローディング機構やディスク記録再生機構等を内蔵するディスクドライブ装置本体４０１を有しており、このディスクドライブ装置本体４０１の内部に、図８に示すディスク手動排出機構４０２が組み込まれている。ディスクドライブ装置本体４０１の前面は、ディスクカートリッジ挿排孔を有するフロントベゼル４０３により覆われており、このフロントベゼル４０３にイジェクト釦４０４や手動排出工具挿入孔４０５が配設されている。ディスク４０８はディスクカートリッジ４０６ａ内に挿入され、ディスクカートリッジ４０６ａとともに前記ディスクカートリッジ挿排孔の内外を進退するようになっている。４０７は、ディスクカートリッジ４０６ａを強制排出する場合に用いる手動排出工具であり、手動排出工具挿入孔４０５に挿入して使用するようになっている。
【０００６】
なお、上記ディスクドライブ装置は、ディスクカートリッジ４０６ａ内に装着した状態でディスク４０８をディスクドライブ装置本体４０１に装着する構成であるが、図７（Ｂ）に示したディスクドライブ装置のように、ディスクドライブ装置本体の内外を移動するディスクトレイ４０６ｂ上にディスク４０８を載置してローディングするタイプもある。ただし、ディスクローディングの実体は、カートリッジ式もトレイ式も大差はなく、以下の説明では、これらの方式は実質同じものとして扱うこととする。図８（Ａ）は、ディスクカートリッジ式のディスクドライブ装置のディスク排出前のディスクドライブ装置の平面図と側面図を示すものである。
【０００７】
手動排出にさいしては、まず、手動排出工具４０７を手動排出工具挿入孔４０５に挿入し、奥方向に押し込む。手動排出工具４０７を押し込むことにより手動排出機構４０２がトリガされ、ディスクカートリッジ４０６を手前方向に駆動する。その結果、フロントベゼル４０３のカートリッジ挿排孔を介してディスクカートリッジ４０６は外部に排出される。図８（Ｂ）は排出後の状態を示す平面図と側面図である。
【０００８】
【発明が解決しようとする課題】
従来のディスクドライブ装置は、専用工具である手動排出工具４０７を手動排出工具挿入孔４０５に挿入し、奥方向に押し込むことにより、ディスクカートリッジ４０６を排出する構成となっており、ディスク４０８を回転駆動してデータを読み取り、この読み取ったデータを転送する最中に誤って手動排出を実行してしまった場合、データの欠落や消失を招いてしまうといった課題があった。また、手動排出用に外部工具を採用しているため、ディスクドライブ装置を移設するときは必ず専用工具も付帯させて持ち運ぶ必要があり、単体で完結した構成でないが故の煩雑さから逃れられず、特にこの専用工具を紛失してしまうと手動排出が不可能となるといった課題があった。さらにまた、電源を切った状態のディスクドライブ装置からディスクを取り出さねばならないようなときに、専用工具による排出の手間を嫌い、ディスクドライブ装置の電源を再投入してディスクを電動排出させるといった面倒な方法を採る使用者もおり、こうした場合、ディスク排出だけの目的で電源の投入と切断を行うため、時間的にも電力的にも無駄が避けられないといった課題があった。さらにまた、手動排出工具挿入孔は通常使用環境では使用されず、しかも外観上目立たないため、使用者がその機能を知らぬまま使用しているケースも多く、全く無駄な機能として放置される場合もある等の課題があった。
【０００９】
本発明は、上記課題を解決したものであり、専用工具を用いずに、ディスクドライブ装置本体に備わった手動排出レバー機構によりディスクの手動排出を可能にすることを目的とするものである。
【００１０】
【課題を解決するための手段】
上記目的を達成するため、本発明は、アンロード位置とロード位置の間でディスクを電動搬送する電動ローディング機構と、前記ロード位置においてディスクを回転駆動して記録又は再生を行う記録再生機構と、電源供給が断たれた状態において、前記ロード位置にあるディスクを前記アンロード位置まで手動排出する手動排出機構と、該手動排出機構をトリガする手動排出操作レバー機構と、前記ディスクが回転駆動中は前記手動排出操作レバー機構による前記トリガを阻止するディスク保護機構とを具備し、前記手動排出操作レバー機構が、前記電動ローディング機構及び前記記録再生機構を収容するディスクドライブ装置本体の前面部に、横臥起立可能かつ起立状態において軸周りに回動可能に配設したレバーと、該レバーに連結された第１ロッドと、前記起立状態で回動された前記レバーを介する押し込み力を前記第１ロッドを介して伝達され、前記手動排出機構をトリガする第２ロッドとを含むことを特徴とするものである。
【００１２】
また、本発明は、アンロード位置とロード位置の間でディスクを電動搬送する電動ローディング機構と、前記ロード位置においてディスクを回転駆動して記録又は再生を行う記録再生機構と、電源供給が断たれた状態において、前記ロード位置にあるディスクを前記アンロード位置まで手動排出する手動排出機構と、該手動排出機構をトリガする手動排出操作レバー機構と、前記電動ローディング機構を作動させるイジェクトスイッチとを具備し、
前記手動排出操作レバーの一部は横臥起立可能に配設され、
起立状態においては手動排出操作レバーとなり、
折り畳み状態においては前記イジェクトスイッチを閉成させるイジェクト釦となること
ことを特徴とするものである。
【００１３】
【発明の実施の形態】
以下、本発明の実施形態を図１ないし図６を参照して説明する。図１（Ａ），（Ｂ）は、本発明のディスクドライブ装置の第１実施形態を示す平面図及び側面図、図２は、図１に示したディスクドライブ装置によるディスク排出動作を説明するための図である。
【００１４】
図１（Ａ），（Ｂ）に示すディスクドライブ装置は、装置本体とは別パーツであった従来の手動排出工具４０７ではなく、ディスクドライブ装置本体１０１に組み込まれた手動排出操作レバー１０５を操作してディスク１０８を手動排出する構成としたものである。ディスクドライブ装置本体１０１は、ディスク１０８の挿排に必要な電動ローディング機構或いはディスク１０８の記録再生に必要な記録再生機構の外に、手動排出機構１０２を内蔵しており、この手動排出機構１０２を手動排出操作レバー１０５を操作して駆動できるようにしてある。ディスクドライブ装置本体１０１の前面を覆うフロントベゼル１０３には、上記手動排出操作レバー１０５の外に、電動ローディング機構を作動させてディスク１０８を排出させるためのイジェクト釦１０４が配設してあり、このイジェクト釦１０４を押し込み操作することでイジェクトスイッチ１０９が閉成し、電動ローディング機構が作動するようになっている。
【００１５】
手動排出操作レバー１０５は、ディスクドライブ装置本体１０１内に前後方向に往復動自在に配設したロッド１０７の末端部に回動可能に取り付けてあり、折り畳み姿勢（横臥状態）と操作姿勢（起立状態）のどちらかが随意選択できるようになっている。ロッド１０７の先端部は、手動排出機構１０２のロック解除部材１０２ａに対向しており、手動排出操作レバー１０５を操作してロッド１０７をディスクドライブ装置本体１０１内に押し込むことにより、ロック解除部材１０２ａによるディスクカートリッジ１０６に対する係止ロックが解除できるようになっている。ロック解除部材１０２ａによるディスクカートリッジ１０６に対する係止ロックの解除とともに、手動排出機構１０２内に配設された圧縮ばね１０２ｂの弾発力によりディスクカートリッジ１０６はディスクドライブ装置本体１０１外に排出されるようになっている。本実施形態では、手動排出操作レバー１０５とロッド１０７が、手動排出レバー操作機構を構成している。
【００１６】
ところで、手動排出機構１０２は、ディスクドライブ装置本体１０１内でディスク１０８が回転している最中は、ロック解除部材１０２ａに対するロッド１０７のアクセスを機械的に阻止するよう、ディスク１０７を回転駆動するディスクモータ（図示せず）に連動するプランジャ・ソレノイド機構１０２ａを内蔵させてある。このプランジャ・ソレノイド機構１０２ａは、ディスクモータに対する通電を制御するコントローラ１１０により通電制御され、ディスクモータに対する通電期間中は、ソレノイドを通電励磁してプランジャをロッド１０７の進路内に突出させ、ロッド１０７によるロック解除部材１０２ａのロック解除を阻止する働きをする。従って、ディスクモータが通電されてディスク１０７が回転駆動されている最中に、使用者が誤って手動排出操作レバー１０５を操作してロッド１０７を押し込もうとしても、プランジャ・ソレノイド機構１０２ａのプランジャがロッド１０７の進入を阻止するため、手動排出機構１０２が作動してしまうことはない。このため、例えば従来のように、ディスク１０７を記録・再生速度でもって回転させたままディスクカートリッジ１０６をディスクドライブ装置本体１０１外に排出させてしまい、ディスク１０７の信号記録面を損傷するといった不都合を排除することができる。本実施形態の場合、プランジャ・ソレノイド機構１０２ａとコントローラ１１０が、ディスク回転駆動中の手動排出操作レバー機構による手動排出トリガを阻止するディスク保護機構を構成している。
【００１７】
電源が切れていて、イジェクタ釦１０４によるディスク排出ができない状況下において手動排出する場合、まず図２（Ａ）に示したように、フロントベゼル１０３左側の手動排出操作レバー１０５に指先を引っかけ、手前方向に９０度引き起こす。この動作により手動排出操作レバー１０５とロッド１０７は直線的に連なった棒状の形態をとる。次に、図２（Ｂ）に示したように、手動排出操作レバー１０５をディスクドライブ装置本体１０１向かって押し込む。この操作により、ロッド１０７が手動排出釦本体１０７が手動排出機構１０２内のロック解除部材１０２ａを押動し、ディスクカートリッジ１０６に対する係止ロックを解除する。ロック解除部材１０２ａによるディスクカートリッジ１０６に対する係止ロックの解除とともに、手動排出機構１０２内に配設された圧縮ばね１０２ｂの弾発力を受けてディスクカートリッジ１０６はフロントベゼル１０３から排出される。ディスクドライブ装置本体１０１から排出されたディスクカートリッジ１０６内からディスク１０８を取り出した後、図２（Ｃ）に示したように、ディスクカートリッジ１０６をディスクドライブ装置本体１０１内に押し込んで常態復帰させる。このとき、ロッド１０６は、ロック解除部材１０２ａに押されて手前方向に押し戻され、フロントベゼル１０３から外部に露出する。最後に、手動排出操作レバー１０５を９０度倒し、図２（Ｄ）に示したように、ディスクドライブ装置を手動排出操作以前の状態に戻すことができる。
【００１８】
このように、手動排出操作レバー１０５を所定の手順で所定方向に駆動することにより、手動排出を行うことができる。また、手動排出実行後の手動排出操作レバー１０５は、ディスクカートリッジ１０６を挿入することにより所定の位置へと復帰し、所定の手順で手動排出操作以前の状態に戻すことができる。また、前述したように、ディスク１０８が回転駆動している最中は、手動排出操作レバー１０５によるロッド１０７の押動がプランジャ・ソレノイド機構１０２ａによって阻止されるため、不注意によりディスク１０８を損傷する恐れはない。一方また、手動排出操作自体に一定の手順を要求するようにしたので、特にディスクモータの通電を断った直後のディスク慣性回転期間中でも、レバー操作の手順負担をもって使用者を排出防止方向に誘導することができ、ディスク保護をより徹底することができる。
【００１９】
次に、本発明の第２実施形態について、図３（Ａ），（Ｂ）及び図４（Ａ）〜（Ｈ）を参照して説明する。このディスクドライブ装置には、図３（Ａ），（Ｂ）に示したように、ディスクドライブ装置本体２０１と、手動排出機構２０２と、フロントベゼル２０３と、イジェクト釦２０４と、手動排出操作レバー２０５と、ディスクカートリッジ２０６と、第１ロッド２０７と、第２ロッド２１０と、ディスク２０８を排出操作するイジェクトスイッチ２０９とが備わっている。本第２実施形態は、安易なディスク排出を予防するため、前述のロッド１０７を、互いに結合分離可能な第１ロッド２０７と第２ロッド２１０の複合構造に置き換えてある。すなわち、第１ロッド２０７は、第２ロッド２１０に対し回動摺動自在としてあり、９０度捩った状態で第２ロッド２１０に結合させ一方向伝動できるようにしてある。なお、本実施形態では、手動排出機構２０２内のプランジャ・ソレノイド機構や、このプランジャ・ソレノイド機構を制御するコントローラ等は図示を省略してある。
【００２０】
手動排出にさいしては、まず図４（Ａ）に示したように、フロントベゼル２０３左側にある手動排出操作レバー２０５を指先に引っかけ、手前方向に９０度引き起こす。この動作により手動排出操作レバー２０５と第１ロッド２０７は直線的に連なって棒状の形態をとる。次に、図４（Ｂ）に示したように、手動排出操作レバー２０５を第１ロッド２０７とともにディスクドライブ装置本体２０１に対して手前側に引き出す。このとき、第１ロッド２０７は第２ロッド２１０に対し摺動するため、第２ロッド２１０は静止したままである。次に、図４（Ｃ）に示したように、手動排出操作レバー２０５を９０度時計方向に回動する。この回動操作により、第１ロッド２０７も軸周りに９０度時計方向に回動する。その結果、第１ロッド２０７の先端が第２ロッド２１０の末端に一方向伝動可能に結合され、押し込み操作力が伝達できるようになる。そこで、図４（Ｄ）に示したように、手動排出操作レバー２０５をディスクドライブ装置本体２０１に対して奥方向に押し込む。この押し込み動作により手動排出操作レバー２０５から第１ロッド２０７、第２ロッド２１０、手動排出機構２０２の順に操作力が伝達され、手動排出機構２０２がトリガされてディスクカートリッジ２０６がフロントベゼル２０３から排出される。
【００２１】
手動排出を終えた装置を常態復帰させる場合、図４（Ｅ）に示したように、手動排出操作レバー２０５をディスクドライブ装置本体２０１に対して手前方向に引き出す。この操作により第１ロッド２０７は第２ロッド２１０から分離し、第１ロッド２０７だけが手動排出操作レバー２０５とともに引き出される。次に、図４（Ｆ）に示したように、手動排出操作レバー２０５を９０度反時計方向に回転させる。最後に、図４（Ｇ）に示したように、手動排出操作レバー２０５をディスクドライブ装置本体２０１に対して奥方向に押し込む。これにより、第１ロッド２０７は第２ロッド２１０に一部係合する。続いて、図４（Ｈ）に示したように、手動排出操作レバー２０５を図４（Ａ）に示した元の状態になるよう９０度倒し、ディスクドライブ装置を手動排出操作以前の状態に戻す。
【００２２】
このように、上記ディスクドライブ装置によれば、手動排出操作レバー２０５に対し所定手順に従って所定の操作を加えることで、手動排出を実行でき、逆にまた手動排出実行後に手動排出操作レバー２０５に対し所定手順に従って所定操作を加えることで、手動排出操作以前の状態に戻すことができる。この場合、第１ロッド２０７は、手動排出操作レバー２０５の引き起こしと捩り（軸周り回動）という２種類の異なる操作を連続的に実行して初めて第２ロッド２１０に機械的に結合されるため、手動排出操作レバー１０５の引き起こし操作だけで排出可能な状態となる装置構成と比較したときに、誤操作に対する安全余裕をさらに高めることができる。
【００２３】
次に、本発明の第３実施形態を図５（Ａ），（Ｂ）及び図６（Ａ）〜（Ｅ）を参照して説明する。図５（Ａ），（Ｂ）に示したディスクドライブ装置には、ディスクドライブ装置本体３０１と、手動排出機構３０２と、フロントベゼル３０３と、イジェクト釦兼手動排出操作レバー３０４と、ディスクカートリッジ３０６と、ロッド３０７と、ディスク３０８を排出するときに操作するイジェクトスイッチ３０９等が備わっている。イジェクト釦兼手動排出操作レバー３０４は、前記第１の実施形態において説明したイジェクタ釦１０４と手動排出操作レバー１０５とを兼ねるものであり、フロントベゼル３０３側へ折り畳んだ状態において、先端がイジェクトスイッチ３０９に離間対向している。イジェクト釦兼手動排出操作レバー３０４を離間状態に付勢するのはばね３１０であり、このばね３１０に抗してイジェクト釦兼手動排出操作レバー３０４を押し込むことにより、イジェクトスイッチ３０９を閉成することができる。従って、イジェクト釦兼手動排出操作レバー３０４は、電源が入っている場合は、電動アンローディングのためのトリガ部材として用いられ、一方また電源を切った後は、手動アンローディングのための操作部材として用いられる。なお、手動排出の動作手順は、図６（Ａ）〜（Ｄ）に示した通りであり、図６（Ｅ）が電動アンローディング時のイジェクト釦兼手動排出操作レバー３０４に対する押し込み操作を表している。
【００２４】
このように、上記ディスクドライブ装置は、手動排出機構３０２をトリガする手動排出操作レバー３０４により閉成され、電動ローディング機構を作動させるイジェクトスイッチ３０９を設けて構成したから、手動排出操作レバー３０４が電動ローディング機構を起動するトリガ部材を兼ねることで、手動排出と電動排出に関連する操作部材について使用者の操作観念を統一し、類似機能の操作に混乱をきたさないようにすることができる。
【００２５】
【発明の効果】
以上説明したように、本発明によれば、ディスクの回転駆動中は手動排出操作レバー機構による手動排出機構に対するトリガを阻止する構成としたから、電源が断たれた状態でディスクを排出する必要がある場合に使用する手動排出操作レバー機構を、仮に誤ってディスク回転駆動中に操作してしまったとしても、手動排出機構に対するトリガが阻止されるため、ディスクを損傷する恐れを排除することができ、これによりディスクドライブ装置本体に配設した手動排出操作レバー機構によるディスク排出を安全かつ確実なものとし、従来の別パーツの専用工具による面倒なディスク手動排出負担を使用者から取り除くことができ、特に何らかの理由により専用工具が用意できないといったときに、電源投入、ディスク排出、電源切断といった手間と無駄な電力消費をなくすことができ、使用者の使い勝手を向上させることができる等の優れた効果を奏する。
【００２６】
また、手動排出操作レバー機構が、ディスクドライブ装置本体の前面部に、横臥起立可能に配設したレバーと、このレバーに連結され、起立させた前記レバーの押し込み操作を手動排出機構に伝達し、手動排出機構をトリガするロッドとを含むので、手動排出操作に一定の手順を要求することによって誤操作等による不慮の手動排出を防ぐことができ、またディスクモータの通電を断った直後のディスク慣性回転期間中でのディスクの誤排出については、レバー操作の手順負担をもって使用者を排出防止方向に誘導することができ、ディスク保護をより徹底することができる等の効果を奏する。
【００２７】
また、手動排出操作レバー機構が、ディスクドライブ装置本体の前面部に、横臥起立可能かつ起立状態において軸周りに回動可能に配設したレバーと、該レバーに連結された第１ロッドと、前記起立状態で回動された前記レバーを介する押し込み力を前記第１ロッドを介して伝達され、前記手動排出機構をトリガする第２ロッドとを含むので、レバーによる手動排出操作に引き起こし操作に軸周りの回動操作を加えることで、より一層の誤操作防止を図ることができる等の効果を奏する。
【００２８】
また、本発明は、手動排出機構をトリガする手動排出操作レバー機構の一部により閉成され、電動ローディング機構を作動させるイジェクトスイッチを設けて構成したから、手動排出操作レバー機構の一部が電動ローディング機構を起動するトリガ部材を兼ねることで、手動排出と電動排出に関連する操作部材について使用者の操作観念を統一し、類似機能の操作に混乱をきたさないようにすることができる等の効果を奏する。
【図面の簡単な説明】
【図１】図１（Ａ），（Ｂ）は、本発明のディスクドライブ装置の第１実施形態を示す平面図及び側面図である。
【図２】図１に示したディスクドライブ装置によるディスク排出動作を説明するための図である。
【図３】図３（Ａ），（Ｂ）は、本発明のディスクドライブ装置の第２実施形態を示す平面図及び側面図である。
【図４】図３に示したディスクドライブ装置によるディスク排出動作を説明するための図である。
【図５】図５（Ａ），（Ｂ）は、本発明のディスクドライブ装置の第３実施形態を示す平面図及び側面図である。
【図６】図５に示したディスクドライブ装置によるディスク排出動作を説明するための図である。
【図７】図７（Ａ），（Ｂ）は、従来のディスクドライブ装置の各例を示す斜視図である。
【図８】図７（Ａ）に示したディスクドライブ装置によるディスク排出動作を説明するための平面図及び側面図である。
【符号の説明】
１０１，２０１，３０１  ディスクドライブ装置本体
１０２，２０２，３０２  手動排出機構
１０２ａ  ロック解除部材
１０２ｂ  圧縮ばね
１０２ｃ  プランジャ・ソレノイド機構
１０３，２０３，３０３  フロントベゼル
１０４，２０４  イジェクト釦
１０５，２０５，３０５  手動排出操作レバー
１０６，２０６，３０６  ディスクカートリッジ
１０７，３０７  ロッド
１０８，２０８，３０８  ディスク
１０９，２０９，３０９  イジェクトスイッチ
１１０  コントローラ
２０７  第１ロッド
２１０  第２ロッド
３０４  イジェクト釦兼手動排出操作レバー
３１０  ばね
【図１】
0003552503.tif 000002
【図２】
0003552503.tif 000003
【図３】
0003552503.tif 000004
【図４】
0003552503.tif 000005
【図５】
0003552503.tif 000006
【図６】
0003552503.tif 000007
【図７】
0003552503.tif 000008
【図８】
0003552503.tif 000009